(57)【要約】【課題】発光素子の発光強度を強めずとも、露光時間を短くすることができる露光装置を提供する。【解決手段】露光装置３は、透明基板３２と、透明基板３２上に形成された多層膜ミラー３３と、多層膜ミラー３３上に形成された複数の有機ＥＬ素子３１と、を備える。有機ＥＬ素子３１は、多層膜ミラー３３から順に透明電極層３４、有機ＥＬ層３５、光反射性電極層３６が積層された積層構造であり、透明電極層３４と光反射性電極層３６に電圧が印加されると、有機ＥＬ層３５にて面状に発光する。有機ＥＬ層３５で発した光は多層膜ミラー３３と光反射性電極層３６で共振し、増幅された光が平行光として多層膜ミラー３３から放出される。平行光は反射鏡３９に向かって、反射鏡３９で反射して感光ドラム１に向かう。反射鏡３９は、平行光を収束するようにして反射し、感光ドラム１の露光部１ａで光が収束する。【選択図】　　　　図１
2004034541.tif 000002
【特許請求の範囲】
【請求項１】
面発光する発光部を具備する複数の面発光素子が、略直線状の露光すべき露光部に平行となって一列に配列されてなる露光装置において、
各々の前記発光部から発した光を平行光として放出する平行光放出手段と、
前記平行光放出手段から放出した平行光を前記露光部に収束する光収束手段と、を備えることを特徴とする露光装置。
【請求項２】
前記面発光素子は、透明基板上に透明電極、前記発光部であるＥＬ層、光反射性電極の順に積層されたＥＬ素子であり、
前記平行光放出手段は、前記透明基板と前記透明電極の間において屈折率の異なる複数の層が周期的に積層されてなる多層膜ミラーと、前記光反射性電極とを有する光共振構造であり、
前記ＥＬ層で発した光が前記多層膜ミラーと前記光反射性電極で共振することによって、前記透明基板に略垂直な平行光が前記多層膜ミラーから前記透明基板を介して前記光収束手段に向けて放出することを特徴とする請求項１に記載の露光装置。
【請求項３】
前記光収束手段が、前記平行光放出手段から放出した平行光を前記露光部に向けて反射する反射鏡であり、前記反射鏡から前記露光部までの距離は前記反射鏡の焦点距離に設定されていることを特徴とする請求項１又は２に記載の露光装置。
【請求項４】
前記光収束手段が、前記平行放出手段から放出した平行光を透過して、前記露光部に向けて放出するレンズ群であり、
前記レンズ群から前記露光部までの距離は前記レンズ群の焦点距離に設定されていることを特徴とする請求項１又は２に記載の露光装置。
【発明の詳細な説明】
【０００１】
【発明の属する技術分野】
本発明は、感光体を露光して線走査する露光装置に関する。
【０００２】
【従来の技術】
ページプリンタは普通紙にも印刷できることから、近年ページプリンタの開発が盛んになっている。ページプリンタは、感光ドラムと、この感光ドラムに電荷を帯電する帯電器と、帯電した感光ドラムを露光する露光装置と、露光された感光ドラムに電荷を帯びたトナーを付着する現像器と、感光ドラムに付着したトナーを紙に転写する転写器とを備えている。露光装置が画像パターンに応じて部分的に感光ドラムを露光することで、光の照射した部分が除電される。これにより、除電された部分と除電されない部分とからなるパターンとしての潜像が感光ドラムに形成される。着色したトナーが現像器によって感光ドラムに散布されることで像が顕在化し、静電気を発する転写器が紙を感光ドラムに押し付けることによって感光ドラムの像が紙に転写される。
【０００３】
一般的に露光装置は、回転するポリゴンレンズでレーザビームを点順次に線走査していくことで、感光ドラムに潜像を形成する。しかしながら、このような露光装置は、点順次に線走査するために高速化が難しいという問題点がある。
【０００４】
そこで、複数の発光素子が走査すべき線と平行に配列されてなる露光装置がページプリンタに適用されている。発光素子として発光ダイオードを適用した場合、複数の微小発光ダイオードを一枚の基板上に一度にパターニングすることが不可能であるため、予め形成された微小発光ダイオードを基板上に配列する必要がある。そのため、製造工程が煩雑であり、微小発光ダイオードの配列誤差が生じる恐れもある。
【０００５】
一方、発光素子として有機ＥＬ（Ｅｌｅｃｔｒｏｌｕｍｉｎｅｓｃｅｎｃｅ：エレクトロルミネッセンス）素子を適用した場合、複数の微小有機ＥＬ素子を一枚の基板上に一度にパターニングすることが可能であるため、製造工程が比較的簡単になる。
【０００６】
【発明が解決しようとする課題】
しかしながら、現状では、有機ＥＬ素子は、発光強度及び寿命に問題点がある。つまり、感光ドラムが十分に感光する程度の光量が必要であるため、有機ＥＬ素子の発光強度が弱いと有機ＥＬ素子で感光ドラムを比較的長い時間露光しなければならない。露光時間が長くするには、ページプリンタの印刷速度を遅くしなければならい。一方、有機ＥＬ素子の発光強度を強くすれば露光時間が短くなってページプリンタの印刷速度が速くなるが、有機ＥＬ素子の寿命が短くなるという問題点がある。また、露光時間を短くするとともに有機ＥＬ素子の発光強度を弱くするためには各微小有機ＥＬ素子の発光面積を拡張しなければならず、有機ＥＬ素子を大型化すると、高解像度のページプリンタを提供するのは不可能である。また有機ＥＬ素子の光は放射状に拡散するため、感光ドラムと有機ＥＬ素子との距離が広がれば広がるほど感光ドラムに届く光のドットの径が大きくなるので、有機ＥＬ素子光源と感光ドラムの位置設計が限定されていた。
【０００７】
そこで、本発明が解決しようとする課題は、有機ＥＬ素子といった発光素子の発光強度を強めずとも、露光時間を短くすることができる露光装置を提供することである。
【０００８】
【課題を解決するための手段】
以上の課題を解決するために、請求項１に記載の発明は、例えば図１〜図４に示すように、
面発光する発光部（例えば、有機ＥＬ層３５）を具備する複数の面発光素子（例えば、有機ＥＬ素子３１）が、略直線状の露光すべき露光部（例えば、露光部１ａ）に平行となって一列に配列されてなる露光装置（例えば、露光装置３，１０３）において、
各々の前記発光部から発した光を平行光として放出する平行光放出手段（例えば、光反射性電極層３６と多層膜ミラー３３とから構成される光共振構造）と、前記平行光放出手段から放出した平行光を前記露光部に収束する光収束手段（例えば、反射鏡３９、又は三角導光体１４１とシリンドリカルレンズ１４２）と、を備えることを特徴とする。
【０００９】
請求項１に記載の発明では、面発光素子の発光部から発した光が平行光として放出され、平行光が露光部に収束されるため、面発光素子の発光強度が弱くても、単位面積あたりの強度の高い光が露光部に照射される。そのため、露光部に対しての露光時間が短くても、十分な光量を露光部に与えることができる。また、面発光素子の発光強度が弱ければ、面発光素子の寿命を長くすることができる。また、露光部に入射する光が収束されているため、光の入射面積が小さい。そのため、本発明に係る露光装置をページプリンタに適用すれば、高解像度のページプリンタを提供することができる。
【００１０】
請求項２に記載の発明は、請求項１に記載の露光装置において、
前記面発光素子は、透明基板（例えば、透明基板３２）上に透明電極（例えば、透明電極層３４）、前記発光部であるＥＬ層（例えば、有機ＥＬ層３５）、光反射性電極（例えば、光反射性電極層３６）の順に積層されたＥＬ素子（例えば、有機ＥＬ素子３１）であり、
前記平行光放出手段は、前記透明基板と前記透明電極の間において屈折率の異なる複数の層が周期的に積層されてなる多層膜ミラー（例えば、多層膜ミラー３３）と、前記光反射性電極とを有する光共振構造であり、
前記ＥＬ層で発した光が前記多層膜ミラーと前記光反射性電極で共振することによって、前記透明基板に略垂直な平行光が前記多層膜ミラーから前記透明基板を介して前記光収束手段に向けて放出することを特徴とする。
【００１１】
請求項２に記載の発明では、請求項１に記載の発明と同様の作用効果を奏するとともに、面発光素子の発光部で発した光が放射状に拡がったとしても、光共振構造によって指向性の強い光が平行光として放出される。
【００１２】
請求項３に記載の発明は、請求項１又は２に記載の露光装置において、
前記光収束手段が、前記平行光放出手段から放出した平行光を前記露光部に向けて反射する反射鏡（例えば、反射鏡３９）であり、前記反射鏡から前記露光部までの距離は前記反射鏡の焦点距離に設定されていることを特徴とする。
【００１３】
請求項３に記載の発明では、請求項１に記載の発明と同様の作用効果を奏するとともに、反射鏡から露光部までの距離が反射鏡の焦点距離に設定されているため、反射鏡の反射光が露光部で収束される。
【００１４】
請求項４に記載の発明は、請求項１又は２に記載の露光装置において、
前記平行放出手段から放出した平行光を透過して、前記露光部に向けて放出するレンズ群（例えば、三角導光体１４１及びシリンドリカルレンズ１４２）であり、
前記レンズ群から前記露光部までの距離は前記レンズ群の焦点距離に設定されていることを特徴とする。
【００１５】
請求項４に記載の発明では、請求項１に記載の発明と同様の作用効果を奏するとともに、レンズ群から露光部までの距離が反射鏡の焦点距離に設定されているため、レンズ群から放出された光が露光部で収束される。
【００１６】
【発明の実施の形態】
以下に、図面を用いて本発明の具体的な態様について説明する。ただし、発明の範囲を図示例に限定するものではない。
【００１７】
〔第一の実施の形態〕
図１には、ページプリンタ９０の概略図が示されている。
ページプリンタ９０は、感光ドラム１と、帯電ローラ２と、露光装置３と、トナータンク４と、現像ローラ５と、転写ローラ６と、クリーニングブレード７と、定着ローラ８，９とを備える。
【００１８】
感光体としての感光ドラム１は、その軸心回りに回転自在となっている。感光ドラム１の周面には光半導体の薄膜が形成されている。感光ドラム１の周面に光半導体層が形成されていることで、感光ドラム１の周面に電荷が蓄えられるとともに、感光ドラム１の周面に光が照射すると電荷が除去される。
【００１９】
帯電ローラ２は、感光ドラム１に近接しており、感光ドラム１と平行に延在しており、その軸心回りに回転自在となっている。帯電ローラ２は、感光ドラム１の周面に帯電するものである。
【００２０】
露光装置３は画像に従って感光ドラム１を線走査するものである。露光装置３の詳細については後述するが、露光装置３が感光ドラム１の周面の露光部１ａ（図２に図示）に沿って部分的に露光することによって、帯電後の感光ドラム１の周面に蓄えられた電荷が部分的に除去される。これにより、感光ドラム１の周面に電荷のパターン、所謂静電潜像が形成される。なお、露光部１ａは、露光装置３によって露光される部分であり、感光ドラム１の軸心に対して平行に直線状となっている。
【００２１】
トナータンク４内には、電荷を帯びたトナーと呼ばれる着色微粒子が貯蓄されている。
現像ローラ５は、感光ドラム１に近接しており、感光ドラム１と平行に延在しており、その軸心回りに回転自在となっている。現像ローラ５は、露光後の感光ドラム１に形成された静電潜像を現像するものである。即ち、トナーがトナータンク４内にて現像ローラ５の周面に付着し、現像ローラ５に付着したトナーは、感光ドラム１に最も近づいた箇所で感光ドラム１に付着する。ここで、感光ドラム１の帯電した部分（つまり、光の照射しなかった部分）にはトナーが反発することで付着せず、感光ドラム１の除電した部分（つまり、光の照射した部分）にトナーが付着し、これにより、感光ドラム１の静電潜像が顕在化される。
【００２２】
転写ローラ６は、感光ドラム１に近接しており、感光ドラム１と平行に延在しており、その軸心回りに回転自在となっている。感光ドラム１の周面に現像された像を紙９９に転写するものである。即ち、矢印Ａ方向に搬送されている紙９９が転写ローラ６によって感光ドラム１に押し当てられることで、更に、転写ローラ６がトナーを引き寄せるように帯電することで、感光ドラム１に付着したトナーが紙９９に付着する。これにより、紙９９に像が転写される。
【００２３】
クリーニングブレード７は、転写後の感光ドラム１に残留したトナーを除去するものである。
定着ローラ８，９は、転写後に紙９９を挟み込んで紙９９に加熱することによって、転写ステップにおいて紙９９に静電付着したトナーを紙９９に定着するものである。
【００２４】
図１及び図２を用いて、露光装置３について詳細に説明する。
露光装置３は、透明基板３２と、感光ドラム１の軸心と平行に配列された複数の有機ＥＬ素子３１と、反射鏡３９とを基本構成としている。これら複数の有機ＥＬ素子３１は透明基板３２上に形成されているが、透明基板３２と有機ＥＬ素子３１との間に多層膜ミラー３３が積層されている。
【００２５】
透明基板３２は平面視して略矩形状を呈しており、透明基板３２の長手方向は感光ドラム１の軸心に対して平行となっている。反射鏡３９の長手方向も感光ドラム１の軸心に対して平行となっている。
【００２６】
透明基板３２としては、石英ガラス等といったガラス基板の他にプラスチック基板を使用することができる。
【００２７】
透明基板３２の一層の面に多層膜ミラー３３が形成されている。多層膜ミラー３３は、屈折率の互いに異なる二種類の層が交互に積層した多層膜である。二種類の層の組み合わせとしては、ＴｉＯ２とＳｉＯ２、又はＳｉＮｘとＳｉＯ２といった二種類の誘電体層の組み合わせ、ＧａＡｓとＧａＩｎＡｓ等といった二種類の半導体層の組み合わせ等がある。なお、多層膜ミラー３３は、二種類の層が交互に積層した多層膜でなくても良く、屈折率の互いに異なる三種類以上の層が周期的に積層した多層膜であっても良い。
【００２８】
有機ＥＬ素子３１は、多層膜ミラー３３上に形成された透明電極層３４と、透明電極層３４上に形成された有機ＥＬ層３５と、有機ＥＬ層３５上に形成された光反射性電極層３６とから構成されている。
【００２９】
透明電極層３４は、アノード電極として機能する層であり、導電性を有しているとともに、光に対して透過性を有している。また、透明電極層３４は、比較的仕事関数の高いものであり、有機ＥＬ層３５へ正孔を効率よく注入するものが好ましい。例えば、透明電極層３４の材料としては、錫ドープ酸化インジウム（ＩＴＯ）、亜鉛ドープ酸化インジウム（ＩＺＯ）、酸化インジウム（Ｉｎ２Ｏ３）、酸化スズ（ＳｎＯ２）又は酸化亜鉛（ＺｎＯ）である。なお、本実施形態では、透明電極層３４はＩＴＯの層である。
【００３０】
有機ＥＬ層３５には有機化合物である発光材料（蛍光体）が含有されているが、発光材料は高分子系材料であっても良いし、低分子系材料であっても良い。この有機ＥＬ層３５は、正孔及び電子を注入する機能と、正孔及び電子を輸送する機能と、正孔と電子の再結合により励起子を生成して発光する機能とを有し、広義の発光層である。
【００３１】
有機ＥＬ層３５は、例えば、透明電極層３４から順に正孔輸送層、狭義の発光層、電子輸送層となる三層構造であっても良いし、透明電極層３４から順に正孔輸送層、狭義の発光層となる二層構造であっても良いし、狭義の発光層からなる一層構造であっても良いし、これらの層構造において適切な層間に電子の注入層又は正孔の注入層が介在した積層構造であっても良いし、その他の層構造であっても良い。
【００３２】
また、有機ＥＬ層３５が電子的に中立であることが望ましく、これにより正孔及び電子が有機ＥＬ層３５でバランス良く注入され、輸送される。また、電子輸送性の物質が狭義の発光層に適宜混合されていても良いし、正孔輸送性の物質が狭義の発光層に適宜混合されても良いし、電子輸送性の物質及び正孔輸送性の物質が狭義の発光層に適宜混合されていても良い。なお、正孔輸送層、狭義の発光層、電子輸送層、正孔注入層、電子注入層は基本的に有機化合物で形成された層であるが、何れかの層が無機化合物で形成された層であっても良い。
【００３３】
本実施形態では、有機ＥＬ層３５は、透明電極層３４から順に正孔注入層３７、狭義の発光層３８からなる二層構造であり、正孔注入層３７はチオフェン系高分子（例えば、ポリエチレンジオキシチオフェン（ＰＥＤＯＴ））からなり、狭義の発光層３８はポリフルオレン系高分子からなる。
【００３４】
光反射性電極層３６は、仕事関数の低い材料で形成されており、例えばインジウム、マグネシウム、カルシウム、リチウム若しくはバリウム又はこれらの少なくとも一種を含む合金若しくは混合物で形成されている。また、光反射性電極層３６は、以上の各種材料の層が積層された積層構造となっていても良く、また、以上の各種材料の層上に例えばアルミニウム、クロム、金等といった高仕事関数で且つ低抵抗の材料が被覆された積層構造となっていても良い。また、光反射性電極層３６は、光に対して遮光性を有するとともに光に対して高い反射性（例えば、反射率９０％以上）を有することで、鏡面として作用する。
【００３５】
以上のように構成される複数の有機ＥＬ素子３１が透明基板３２の長手方向に一列となって配列されているが、透明電極層３４及び有機ＥＬ層３５は有機ＥＬ素子３１ごとに区切られている。一方、光反射性電極層３６は全ての有機ＥＬ素子３１に共通した層でも良いし、有機ＥＬ素子３１ごとに区切られていても良い。また、多層膜ミラー３３も、全ての有機ＥＬ素子３１に共通した層であっても良いし、有機ＥＬ素子３１ごとに区切られていても良い。透明基板３２の長手方向の単位長さ当たりに含まれる有機ＥＬ素子３１の数は、ページプリンタの解像度によって定まり、例えばページプリンタの解像度が６００ｄｐｉの場合には１インチ当たり６００の有機ＥＬ素子３１が含まれる。そして、例えばページプリンタの解像度が６００ｄｐｉの場合、透明基板３２の長手方向における有機ＥＬ素子３１の有機ＥＬ層３５の長さａは約４２．３μｍであり、透明基板３２の短尺方向における有機ＥＬ素子３１の有機ＥＬ層３５の長さｂは約５ｍｍである。
【００３６】
そして、上記有機ＥＬ素子３１では、透明電極層３４と光反射性電極層３６との間に順バイアス電圧が印加されると、正孔が透明電極層３４から有機ＥＬ層３５へ注入されるとともに電子が光反射性電極層３６から有機ＥＬ層３５へ注入される。そして、有機ＥＬ層３５にて正孔及び電子が輸送されて、有機ＥＬ層３５にて正孔及び電子が再結合することによって励起子が生成し、励起子が有機ＥＬ層３５内の蛍光体を励起して、有機ＥＬ層３５にて光が発する。
【００３７】
有機ＥＬ層３５が（ａ×ｂ）の面積で面発光し、有機ＥＬ層３５にて発した光は放射状に広がるが、光反射性電極層３６と多層膜ミラー３３とから光共振構造が構成されるため、鏡面（つまり、光反射性電極層３６や多層膜ミラー３３）に垂直な光が多層膜ミラー３３と光反射性電極層３６との間に閉じ込められ、閉じ込められた光がこの光共振構造にて共振する。閉じ込められた光が共振によって増幅されて、増幅されて高強度となった光が多層膜ミラー３３から放出される。つまり、鏡面に垂直な方向に指向性を有する光が多層膜ミラー３３から放出される。有機ＥＬ層３５が面状に拡がって有機ＥＬ層３５全体で面発光するため、多層膜ミラー３３から放出された光は平行光となっている。上述したように長手方向の有機ＥＬ素子３１の長さｂは５ｍｍであり、短尺方向の有機ＥＬ素子３１の長さａが４２．３μｍであるから、面発光面積は４２．３μｍ×５ｍｍである。なお、各々の有機ＥＬ素子１から発した平行光は全て互いに平行となっている。
【００３８】
多層膜ミラー３３から放出された平行光は透明基板３２に対して垂直に透過する。透明基板３２を透過した平行光の光路上に反射鏡３９が配設されており、平行光が反射鏡３９に向かっている。反射鏡３９は、各々の有機ＥＬ素子３１から発した平行光を帯電ローラ２と現像ローラ５の間における感光ドラム１の周面に向けて反射するものである。反射鏡３９の反射面は曲面となっており、反射鏡３９に入射した平行光が収束するように反射する。反射鏡３９から露光部１ａまでの距離は反射鏡３９の焦点距離に設定されており、反射鏡３９で反射した光は感光ドラム１の周面の露光部１ａで収束する。各々の有機ＥＬ素子３１から発した平行光を収束する方向は、露光部１ａにおける感光ドラム１の周面の接線方向であり、有機ＥＬ素子３１一つ当たり感光ドラム１に照射する照射面積は４２．３μｍ×４２．３μｍとなる。
【００３９】
上述したように、有機ＥＬ素子３１一つ当たり、平行光の発光面積が４２．３μｍ×５ｍｍであり、平行光が反射鏡３９によって収束されることによって感光ドラム１における照射面積が４２．３μｍ×４２．３μｍに収束される。従って、有機ＥＬ素子３１の発光強度が弱くても、単位面積当たりの強度の高い光が感光ドラム１に照射される。そのため、有機ＥＬ素子３１の寿命が長くなる。また、単位面積当たりの強度の高い光が感光ドラム１に照射されるため、感光ドラム１に対しての露光時間が比較的短かくても感光ドラム１が感光する程度の光量が満たされる。そのため、ページプリンタ９０の印刷速度を速めることができる。
【００４０】
以上のように、有機ＥＬ素子３１一つ当たりの発光強度を強くせずとも、露光時間を短くすることができたのは、有機ＥＬ素子３１の有機ＥＬ層３５が面発光すること、光共振構造によって平行光に放出すること、反射鏡３９で反射した光の焦点が露光部１ａに合っていることに因る。更に、有機ＥＬ素子３１の有機ＥＬ層３５で面発光した放射状の光が、光共振構造によって効率よく平行光として放出されるため、光学的に比較的簡単に露光部１ａに焦点が合わせることができるとともに、高効率で感光ドラム１を露光することができる。
【００４１】
〔第二の実施の形態〕
次に、第二の実施の形態について説明する。
図３は、別の例のページプリンタ１９０の概略を示す図面であり、図４は、このページプリンタ１９０に設けられた露光装置１０３を主に示した斜視図である。
【００４２】
ページプリンタ１９０は、ページプリンタ９０と同様に、感光ドラム１と、帯電ローラ２と、トナータンク４と、現像ローラ５と、転写ローラ６と、クリーニングブレード７と、定着ローラ８，９とを備えている。これらについては、ページプリンタ９０の場合と同様の構成であり、ページプリンタ９０の場合と同様に作用するため詳細な説明を省略する。
【００４３】
更にページプリンタ１９０は、第一実施形態の露光装置３とは別の露光装置１０３を備えており、露光装置１０３は画像に従って感光ドラム１を帯電ローラ２と現像ローラ５の間において線走査するものである。
【００４４】
露光装置１０３は、感光ドラム１の軸心と平行な長手方向を有する透明基板３２と、透明基板３２の一方の面に積層された多層膜ミラー３３と、多層膜ミラー３３上において感光ドラム１の軸心と平行に配列された複数の有機ＥＬ素子３１と、を備える。透明基板３２、有機ＥＬ素子３１、多層膜ミラー３３については、透明基板３２の他方の面が感光ドラム１の周面に向いた法線方向となっていること以外は第一実施形態における露光装置３と同様の構成であり、多層膜ミラー３３から放出された平行光は透明基板３２に対して垂直に入射する。
【００４５】
更に、露光装置１０３は、図３の図示方向に見て略三角形状である複数の三角導光体１４１と、複数の三角導光体１４１の頂角部分に設けられたシリンドリカルレンズ１４２とを備え、複数の三角導光体１４１とシリンドリカルレンズ１４２とによってレンズ群が構成されている。
【００４６】
複数の三角導光体１４１は、透明基板３２の他方の面において透明基板３２の長手方向に配列されている。三角導光体１４１はそれぞれ、有機ＥＬ素子３１に対応して設けられており、一つの三角導光体１４１の底面が一つの有機ＥＬ素子３１に向き合うようにして透明基板３２の他方の面に密着している。各々の三角導光体１４１は、透明基板３２に向いた底面及びシリンドリカルレンズ１４２に向いた頂角部分を除き反射部材で覆われている。各々の三角導光体１４１は、底面に入射した平行光をシリンドリカルレンズ１４２に導くとともに、平行光をシリンドリカルレンズ１４２に向けて収束する。
【００４７】
シリンドリカルレンズ１４２は各々の三角導光体１４１から放出した光を収束するものであり、シリンドリカルレンズ１４２から放出された光は感光ドラム１の周面の露光部１ａで収束する。三角導光体１４１とシリンドリカルレンズ１４２とから構成されるレンズ群から露光部１ａまでの距離は、レンズ群全体としての焦点距離に設定されている。各々の有機ＥＬ素子３１から発した平行光を収束する方向は、露光部１ａにおける感光ドラム１の周面の接線方向であり、有機ＥＬ素子３１一つ当たり感光ドラム１に照射する照射面積は４２．３μｍ×４２．３μｍとなる。
【００４８】
第二実施形態においても、第一実施形態と同様に、有機ＥＬ素子３１の発光強度が弱くても単位面積あたりの強度の高い光が露光部１ａに照射される。そのため、露光部１ａに対しての露光時間が短くても、十分な光量を露光部に与えることができるとともに、有機ＥＬ素子３１の寿命を長くすることができる。
【００４９】
なお、本発明は、上記各実施の形態に限定されることなく、本発明の趣旨を逸脱しない範囲において、種々の改良並びに設計の変更を行っても良い。
上記各実施形態では、露光装置３，１０３をページプリンタに設けることで、露光装置３，１０３で感光ドラム１に静電潜像を形成したが、例えば、上述のような露光装置３，１０３で感光性フィルムに潜像を直接形成してもよい。潜像の形成された感光性フィルムを化学的又は熱的に現像すると、像が顕在化する。
【００５０】
また、第二実施形態では、三角導光体１４１とシリンドリカルレンズ１４２とから構成されるレンズ群によって平行光の焦点を露光部１ａに合わせていたが、他のレンズ構成によって露光部１ａに平行光の焦点を合わせても良い。
また、反射鏡とレンズ群の組み合わせで、露光部１ａに平行光の焦点を合わせるようにしても良い。
【００５１】
また、上記各実施形態では、面発光する素子を有機ＥＬ素子３１としたが他の素子であっても良く、例えば無機ＥＬ素子であっても良い。無機ＥＬ素子の場合、多層膜ミラー３３から順に透明電極、絶縁膜（但し、光に対して透過性を有している。）、面発光する無機ＥＬ層、絶縁膜（但し、光に対して透過性を有している。）、光反射性電極が積層された積層構造である。無機ＥＬ層には、蛍光性化合物として無機化合物が含有している。
上記各実施形態では、透明基板３２上に多層膜ミラー３３、有機ＥＬ素子３１を順次設け、有機ＥＬ素子３１からの光を多層膜ミラー３３で共振した平行光を透明基板３２を介して出力したが、透明基板３２を設けることなく多層膜ミラー３３上に有機ＥＬ素子３１を設けることにより、有機ＥＬ素子３１の光が透明基板３２を介することなく感光ドラム１に照射でき、透明基板３２による光量の減衰を防止できる。
【００５２】
【発明の効果】
本発明によれば、面発光素子の発光部から発した光が平行光として放出され、平行光が露光部に収束されるため、面発光素子の発光強度が弱くても単位面積あたりの強度の高い光が露光部に照射される。そのため、露光部に対しての露光時間が短くても、十分な光量を露光部に与えることができる。また、面発光素子の発光強度が弱ければ、面発光素子の寿命を長くすることができる。また、露光部に入射する光が収束されているため、光の入射面積が小さい。そのため、本発明に係る露光装置をページプリンタに適用すれば、高解像度のページプリンタを提供することができる。
【図面の簡単な説明】
【図１】図１は、ページプリンタの概略を示した図面である。
【図２】図２は、図１のページプリンタに備わる露光装置を主に示した斜視図である。
【図３】図３は、図１のページプリンタとは別のページプリンタの概略を示した図面である。
【図４】図４は、図３のページプリンタに備わる露光装置を主に示した斜視図である。
【符号の説明】
１　　　感光ドラム
１ａ　　　露光部
３，１０３　　　露光装置
３１　　　有機ＥＬ素子（ＥＬ素子、面発光素子）
３２　　　透明基板
３３　　　多層膜ミラー（光共振構造、平行光放出手段）
３４　　　透明電極層（透明電極）
３５　　　有機ＥＬ層（発光部、ＥＬ層）
３６　　　光反射性電極層（光反射性電極、光共振構造、平行光放出手段）
３９　　　反射鏡（光収束手段）
９０，１９０　　　ページプリンタ
１４１　　　三角導光体（レンズ群、光収束手段）
１４２　　　シリンドリカルレンズ（レンズ群、光収束手段）
【図１】
2004034541.tif 000003
【図２】
2004034541.tif 000004
【図３】
2004034541.tif 000005
【図４】
2004034541.tif 000006